(57)【要約】【課題】熱交換器が結氷するときの給気流の温度と、結氷を融解するときの排気流の温度の検出により行う流路切換を、低コストで簡略化した回路で実現することを目的とする。【解決手段】排気流路９と給気流路１０を仕切る仕切板１１と、排気開口１２を開閉する排気ダンパー１６と、給気開口１４を開閉する給気ダンパー１７と、仕切板１１に設けた循環開口１８を開閉する循環ダンパー１９と、給気流路１０内の循環開口１２の近傍に設けた１つの温度センサー２５とからなる流路切換ユニット２２を備え、熱交換器５が結氷するときの給気流の温度、結氷を融解するときの排気流の温度を温度センサー２５で検出して各ダンパーを開閉させることにより、低コストで回路の簡略化した熱交換形換気装置が得られる。【選択図】図１
2007170713.tif 000002
【特許請求の範囲】
【請求項１】
室内の排気流と、室外からの給気流の熱交換をおこなう熱交換器と、前記排気流を形成する排気用送風機と、前記給気流を形成する給気用送風機とを設けた換気ユニットと、排気流路と給気流路を仕切る仕切板と、前記排気流の通る排気開口を有し、前記排気流路に設けられる排気ダンパー受と、前記給気流の通る給気開口有し、前記給気流路に設けられる給気ダンパー受と、前記排気開口を開閉する排気ダンパーと、前記給気開口を開閉する給気ダンパーと、前記排気流路と前記給気流路を連通するように前記仕切板に開口した循環開口と、この循環開口を開閉する循環ダンパーと、前記各ダンパーを開閉するダンパーモータと、空気温度を検出し、前記各ダンパーを開閉制御するセンサー手段とを設けた流路切換ユニットとを備え、前記センサー手段を前記流路切換ユニットの前記給気流と前記循環開口を通る循環流がともに接触する位置に設けた熱交換形換気装置。
【請求項２】
センサー手段を、１つの温度センサーで形成した請求項１記載の熱交換形換気装置。
【請求項３】
センサー手段を、Ｃ接点の温度センサーで形成した請求項２記載の熱交換形換気装置。
【請求項４】
センサー手段の周囲を断熱材で包囲した請求項１〜３のいずれかに記載の熱交換形換気装置。
【請求項５】
センサー手段に給気流が直接接触しないように囲いを設けた請求項１〜３のいずれかに記載の熱交換形換気装置。
【請求項６】
循環開口を通る循環流がセンサー手段に直接接触しないように囲いを設けた請求項１〜３のいずれかに記載の熱交換形換気装置。
【請求項７】
循環ダンパーの一部をセンサー手段の囲いの役割をするように形成した請求項１〜３のいずれかに記載の熱交換形換気装置。
【請求項８】
循環ダンパーにセンサー手段を設けた請求項１〜３のいずれかに記載の熱交換形換気装置。
【請求項９】
センサー手段に防水対策を施した請求項１〜３のいずれかに記載の熱交換形換気装置。
【発明の詳細な説明】
【技術分野】
【０００１】
本発明は、低温地域等で使用される熱交換形換気装置に関する。
【背景技術】
【０００２】
従来、この種の熱交換形換気装置の一例として換気装置の凍結防止装置が知られている（例えば、特許文献１参照）。
【０００３】
以下、その換気装置の凍結防止装置について図１３を参照しながら説明する。
【０００４】
図に示すように、箱体１０１の内部に、低温流路１０２と高温流路１０３を、仕切板１０４によって仕切って形成し、箱体１０１の一方の側面に低温流路入口１０５と高温流路入口１０６を設け、もう一方の側面に、図示しない熱交換器を備えた従来より周知の熱交換形換気装置に連通する低温流路出口１０７と高温流路出口１０８を設け、また仕切板１０４に形成された低温流路１０２と高温流路１０３を連通させる開口１０９と、低温流路入口１０５を交互に開閉するダンパー１１０、および、開口１０９と高温流路出口１０８を交互に開閉するダンパー１１１を設けている。そして、低温流路入口１０５に熱交換器が結氷する温度（あらかじめ設定）を検出する温度検出器１１２を設け、これが出力を発すると制御装置１１３が動作し、駆動機構１１４によりダンパー１１０、１１１を、低温流路入口１０５と高温流路出口１０８を閉じ、開口１０９を開くように回動させ、これを所定の時間間隔で間欠的に繰り返すように構成されている。
【特許文献１】実開昭６２−１７７４３号公報（１０頁、第３図）
【発明の開示】
【発明が解決しようとする課題】
【０００５】
このような従来の換気装置の凍結防止装置では、温度検出器１１２は低温流路入口１０５に設けられ低温の給気流の温度を検出するもので、熱交換器の結氷を融解するための排気流の温度は検出されているものではなく、開口１０９を閉じ、低温流路入口１０５と高温流路出口１０８を開くために、タイマー等の制御装置が必要となるという課題があり、低温の給気流の温度と熱交換器の結氷の融解時の排気流の温度とを検出できるようにすることが要求されている。
【０００６】
本発明は、このような従来の課題を解決するものであり、熱交換器が結氷するときの低温の給気流の温度と結氷を融解するときの排気流の温度の検出をおこない、流路切換を低コストで簡略化した回路でおこなうことができる熱交換形換気装置を提供することを目的としている。
【課題を解決するための手段】
【０００７】
本発明の熱交換形換気装置は上記目的を達成するために、室内の排気流と、室外からの給気流の熱交換をおこなう熱交換器と、前記排気流を形成する排気用送風機と、前記給気流を形成する給気用送風機とを設けた換気ユニットと、排気流路と給気流路を仕切る仕切板と、前記排気流の通る排気開口を有し、前記排気流路に設けられる排気ダンパー受と、前記給気流の通る給気開口を有し、前記給気流路に設けられる給気ダンパー受と、前記排気開口を開閉する排気ダンパーと、前記給気開口を開閉する給気ダンパーと、前記排気流路と前記給気流路を連通するように前記仕切板に開口した循環開口と、この循環開口を開閉する循環ダンパーと、各ダンパーを開閉するダンパーモータと、空気温度を検出し、前記各ダンパーを開閉制御するセンサー手段とを設けた流路切換ユニットとを備え、前記センサー手段を前記流路切換ユニットの前記給気流路内の前記給気流と前記循環開口を通る循環流がともに接触する位置に設けたものである。
【０００８】
この手段により、低温の給気流の温度と熱交換器の結氷の融解時の排気流の温度とを検出し、各ダンパーを開閉制御して流路を切り換えることができ、コストの低減および電気回路の簡略化を図ることができる熱交換形換気装置が得られる。
【０００９】
また、他の手段は、センサー手段を１つの温度センサーで形成したものである。
【００１０】
この手段により、コストの低減および電気回路の簡略化を図ることのできる熱交換形換気装置が得られる。
【００１１】
また、他の手段は、センサー手段をＣ接点の温度センサーで形成したものである。
【００１２】
この手段により、各ダンパーの開閉のどちらの場合においても、ダンパーモータの駆動力を利用できるとともにコストの低減および電気回路の簡略化を図ることのできる熱交換形換気装置が得られる。
【００１３】
また、他の手段は、センサー手段の周囲を断熱材で包囲したものである。
【００１４】
この手段により、センサー手段の感度を調節し、ダンパーの開閉時間を自在に調節できるとともにコストの低減および電気回路の簡略化を図ることのできる熱交換形換気装置が得られる。
【００１５】
また、他の手段は、センサー手段に給気流が直接接触しないように囲いを設けたものである。
【００１６】
この手段により、センサー手段の感度を調節し、ダンパーの開閉時間を自在に調節できるとともにコストの低減および電気回路の簡略化を図ることのできる熱交換形換気装置が得られる。
【００１７】
また、他の手段は、循環開口を通る循環流がセンサー手段に直接接触しないように囲いを設けたものである。
【００１８】
この手段により、センサー手段の感度を調節し、ダンパーの開閉時間を自在に調節できるとともにコストの低減および電気回路の簡略化を図ることのできる熱交換形換気装置が得られる。
【００１９】
また、他の手段は、循環ダンパーの一部をセンサー手段の囲いの役割をするように形成したものである。
【００２０】
この手段により、センサー手段の感度を調節し、ダンパーの開閉時間を自在に調節できるとともにコストの低減および電気回路の簡略化を図ることのできる熱交換形換気装置が得られる。
【００２１】
また、他の手段は、循環ダンパーにセンサー手段を設けたものである。
【００２２】
この手段により、センサー手段の取り付け位置で、センサー手段の感度を調節しダンパーの開閉時間を自在に調節できるとともにコストの低減および電気回路の簡略化を図ることのできる熱交換形換気装置が得られる。
【００２３】
また、他の手段は、センサー手段に防水対策を施したものである。
【００２４】
この手段により、結露水がセンサー手段に侵入するのが防止できる熱交換形換気装置が得られる。
【発明の効果】
【００２５】
本発明によれば、流路切換ユニットのコスト低減および電気回路の簡略化を図ることができるという効果のある熱交換形換気装置を提供できる。
【００２６】
また、ダンパーの開閉時間を自在に調節できるという効果のある熱交換形換気装置を提供できる。
【００２７】
また、センサー手段の囲いを設けずにダンパーの開閉時間を調節することができるという効果のある熱交換形換気装置を提供できる。
【００２８】
また、結露水が温度センサーに浸入するのを防止できるという効果のある熱交換形換気装置を提供できる。
【発明を実施するための最良の形態】
【００２９】
本発明の請求項１記載の発明は、室内の排気流と、室外からの給気流の熱交換をおこなう熱交換器と、前記排気流を形成する排気用送風機と、前記給気流を形成する給気用送風機とを設けた換気ユニットと、排気流路と給気流路を仕切る仕切板と、前記排気流の通る排気開口を有し、前記排気流路に設けられる排気ダンパー受と、前記給気流の通る給気開口を有し、前記給気流路に設けられる給気ダンパー受と、前記排気開口を開閉する排気ダンパーと前記給気開口を開閉する給気ダンパーと、前記排気流路と前記給気流路を連通するように前記仕切板に開口した循環開口と、この循環開口を開閉する循環ダンパーと、前記各ダンパーを開閉するダンパーモータと、空気温度を検出し、前記各ダンパーの開閉を制御するセンサー手段とを設けた流路切換ユニットとを備え、前記センサー手段を前記流路切換ユニットの前記給気流と前記循環開口を通る循環流がともに接触する位置に設けたものであり、低温の室外からの空気と高温の室内空気の２種の気流が直接センサー手段に当接するため、センサー手段が給気流の温度と循環流の温度を検知し各ダンパーを開閉することで、室外空気の導入と室内空気の循環を切り換えることとなり、室外空気の導入と室内空気の循環を切り換えるためのタイマー等が不要となり、コストの低減および電気回路の簡略化を図ることができるという作用を有する。
【００３０】
また、請求項２記載の発明は、センサー手段を１つの温度センサーで形成したものであり、本来であれば、２種類の気流の温度を感知するには、２つの温度センサーが必要であるのに対し、１つの温度センサーで２種類の気流の温度を感知することができ、コストの低減および回路の簡略化を図ることができるという作用を有する。
【００３１】
また、請求項３記載の発明は、センサー手段をＣ接点の温度センサーで形成したものであり、当接する気流の温度に応じて温度センサーの接点を切り換えることができ、各ダンパーの開閉のどちらの場合においても、ダンパーモータへの通電ができるため、ダンパーモータの駆動力を利用して各ダンパーの開閉ができ、ばね等を利用する場合に比較して風圧に負けずに確実に開閉ができるとともに、ダンパーが開閉する時の音の発生を防止でき、また、１つの温度センサーで各ダンパーの開閉ができるので、コストの低減および電気回路の簡略化を図ることができるという作用を有する。
【００３２】
また、請求項４記載の発明は、センサー手段の周囲を断熱材で包囲したものであり、断熱材の種類や厚みによってセンサー手段の反応時間を調節することができるため、センサー手段の感度を調節することができ、ダンパーの開閉時間を自在に調節できるとともに、タイマー等が不要となり、コストの低減と電気回路の簡略化を図ることができるという作用を有する。
【００３３】
また、請求項５記載の発明は、センサー手段に給気流が直接接触しないように囲いを設けたものであり、センサー手段の反応時間は給気流が直接あたる場合には短くなり、給気流が直接あたらない場合には長くなることから、各ダンパーの開閉時間を自在に調節することができるとともに、タイマー等が不要となり、コストの低減と電気回路の簡略化を図ることができるという作用を有する。
【００３４】
また、請求項６記載の発明は、循環開口を通る循環流がセンサー手段に直接接触しないように囲いを設けたものであり、センサー手段の反応時間は、循環流が直接あたる場合には短くなり、循環流が直接あたらない場合には長くなることから、各ダンパーの開閉時間を自在に調節することができるとともに、タイマー等が不要となり、コストの低減と電気回路の簡略化を図ることができるという作用を有する。
【００３５】
また、請求項７記載の発明は、循環ダンパーの一部をセンサー手段の囲いの役割をするように形成したものであり、循環ダンパーが閉じている状態ではセンサー手段に囲いが設けられ、給気流がセンサー手段に直接あたらないため、センサー手段の反応時間が長くなることから、各ダンパーの開閉時間を自在に調節することができるとともに、タイマー等が不要となり、コストの低減と電気回路の簡略化を図ることができるという作用を有する。
【００３６】
また、請求項８記載の発明は、循環ダンパーにセンサー手段を設けたものであり、センサー手段を気流が直接あたる場所、または直接あたらない場所に調節して設けることができ、センサー手段の反応時間を調節できることから、各ダンパーの開閉時間を自在に調節することができるとともに、タイマー等が不要となり、コストの低減と電気回路の簡略化を図ることができるという作用を有する。
【００３７】
また、請求項９記載の発明は、センサー手段に防水対策を施したものであり、センサー手段内に水の入るのが防止されることから、結露水が発生しても水の浸入が防止でき、安全性が高められるという作用を有する。
【００３８】
以下、本発明の実施の形態について図面を参照しながら説明する。
【００３９】
（実施の形態１）
図１〜図４に示すように、一側面の室内側に室内側排気口１と室内側給気口２を有し、他側面に排気用連結口３と給気用連結口４を設け、内部に室内からの排気流と、室外からの給気流の熱交換をおこなう熱交換器５と、排気流を形成する排気用送風機６と、給気流を形成する給気用送風機７とを設けた換気ユニット８を設け、換気ユニット８の排気用連結口３に連結される排気流路９と、換気ユニット８の給気用連結口４に連結される給気流路１０を仕切る仕切板１１と、排気流の通る排気開口１２を有し、排気流路９に設けられる排気ダンパー受１３と、給気流の通る給気開口１４を有し、給気流路１０に設けられる給気ダンパー受１５と、排気開口１２を開閉する排気ダンパー１６と、給気開口１４を開閉する給気ダンパー１７と、排気流路９と給気流路１０を連通するように仕切板１１に開口した循環開口１８と、循環開口１８を開閉する循環ダンパー１９と、室外側に室外側排気口２０と、室外側給気口２１を設けた流路切換ユニット２２を設ける。
【００４０】
また、排気ダンパー１６と給気ダンパー１７および循環ダンパー１９を一体に設けて同時に開閉するように設け、排気ダンパー１６と給気ダンパー１７および循環ダンパー１９を同時に開閉駆動するダンパーモータ２３を排気流路９内に設ける。
【００４１】
また、空気温度を検出するセンサー手段２４を流路切換ユニット２２内の循環開口１８近傍に設ける。センサー手段２４は１つのＣ接点の温度センサー２５により形成し、図４の電気回路図に示すように、Ｃ接点を有する温度センサー２５とダンパーモータ２３との間に、交互に導通するように第１のリミットスイッチ２６ａと第２のリミットスイッチ２６ｂを並列に設けたリミットスイッチ２６を直列に接続し、排気ダンパー１６と給気ダンパー１７が閉位置にあるときは、第１のリミットスイッチ２６ａが閉状態を検出して第１のリミットスイッチ２６ａが開状態となり、ダンパーモータ２３の電源回路は開いてダンパーモータ２３への通電は停止されるように設ける。
【００４２】
上記構成において、通常の熱交換換気運転をおこなうときには図１に示すように、排気ダンパー１６と給気ダンパー１７は開状態で、循環ダンパー１９のみが閉状態で熱交換形換気装置を運転すると、排気用送風機６により室内の熱を帯びた室内空気が室内側排気口１より換気ユニット８内に吸い込まれ、排気空気は熱交換器５の一方の通路を通り、流路切換ユニット２２の排気流路９を通り室外側排気口２０より室外に排気される。一方給気用送風機７により室外の空気が室外側給気口２１より給気流路１０内に流入し、給気流路１０より換気ユニット８に設けた熱交換器５内の他方の通路を通り、室内側給気口２より室内に給気され熱交換換気がおこなわれる。
【００４３】
また、熱交換型換気装置を低温地域で使用した場合に、給気温度が低く、熱交換器５が結氷状態となるときには、センサー手段２４が検知し、ダンパーモータ２３により、排気ダンパー１６と給気ダンパー１７および循環ダンパー１９を駆動し、排気ダンパー１６により排気開口１２を閉鎖し、給気ダンパー１７により給気開口１４を閉鎖し、循環ダンパー１９は循環開口１８を開口し、図２に示す状態とすることにより、排気用送風機６が運転されると、室内側排気口１より換気ユニット８内に熱を保有している室内空気が吸い込まれ、排熱空気が熱交換器５内の一方の通路を通り、排熱空気に含まれる熱により熱交換器５の結氷が融解される。
【００４４】
そして、熱交換器５を通り熱をうばわれたが未だ熱が残存している排気空気が、開口している循環開口１８により給気流路１０を介して再度熱交換器５の他方側の通路を通り、熱交換器５を加熱してさらに結氷が融解されることとなる。
【００４５】
次に、温度センサー２５とダンパーモータ２３および各ダンパーの動作関係を説明する。
【００４６】
図４の状態では、排気ダンパー１６と給気ダンパー１７を開放し、循環ダンパー１９が循環開口を閉鎖している状態で、第１のリミットスイッチ２６ａが開でダンパーモータ２３は停止している状態を示しており、温度センサー２５は給気流路１０の給気流と接触している状態となる。
【００４７】
この状態において、熱交換形換気装置の運転が続行され、温度センサー２５が給気流の低温度を感知し、熱交換器５が結氷状態に近づいたときには、温度センサー２５の接点（Ａ）から（Ｂ）に切り換わり、第２のリミットスイッチ２６ｂを介して停止したダンパーモータ２３に通電され、ダンパーモータ２３が運転されて排気ダンパー１６と給気ダンパー１７が排気開口１２と給気開口１４を閉鎖し、循環ダンパー１９が開放されて循環開口１８が開口される。
【００４８】
この状態になると、第１のリミットスイッチ２６ａは閉状態で、第２のリミットスイッチ２６ｂは開状態となりダンパーモータ２３への通電は停止される。
【００４９】
そして、室内側排気口１より排気された排気空気は、熱交換器５を通ったのち、循環開口１８を通り給気流路１０内に入り、給気流路１０より再度熱交換器５を通り室内側給気口２に給気される循環流路２９が形成されて、熱交換器５の結氷が融解されるようになり、温度センサー２５で検知する温度が所定温度以上になったときには、温度センサー２５の接点が（Ｂ）から（Ａ）に切り換わり、第１のリミットスイッチ２６ａを介してダンパーモータ２３に通電され、ダンパーモータ２３により、排気ダンパー１６と給気ダンパー１７は開状態で循環ダンパー１９は閉状態となり、通常の熱交換換気運転がおこなわれ、そのときの電気回路は図４に示す状態となり、温度センサー２５は接点（Ａ）と接続され、第１のリミットスイッチ２６ａは開状態となりダンパーモータ２３への通電は停止される。
【００５０】
このように実施の形態１の発明では、室内の排気流と室外からの給気流の熱交換をおこなう熱交換器５と、排気流を形成する排気用送風機６と、給気流を形成する給気用送風機７とを設けた換気ユニット８と、排気流路９と給気流路１０を仕切る仕切板１１と、排気流の通る排気開口１２を有し、排気流路９に設けられる排気ダンパー受１３と、給気流の通る給気開口１４を有し、給気流路１０に設けられる給気ダンパー受１５と、排気開口１２を開閉する排気ダンパー１６と給気開口１４を開閉する給気ダンパー１７と、排気流路９と給気流路１０を連通するように仕切板１１に開口した循環開口１８と、この循環開口１８を開閉する循環ダンパー１９と、各ダンパーを開閉するダンパーモータ２３と、空気温度を検出するセンサー手段２４とを設けた流路切換ユニット２２とを備え、センサー手段２４を流路切換ユニット２２の給気流路１０内の循環開口１８近傍に設けたので、低温の室外からの空気と、高温の室内空気の２種類の気流が直接センサー手段２４に当接するため、センサー手段２４が給気流の温度と循環流の温度を検知し、各ダンパーを開閉することで室外空気の導入と室内空気の循環を切り換えることとなり、室外空気の導入と室内空気の循環を切り換えためのタイマー等が不要となりコストの低減と電気回路の簡略化を図ることができることとなる。
【００５１】
また、センサー手段２４を、１つの温度センサ−２５で形成したので、本来であれば２種類の気流の温度を感知するには、２つの温度センサーが必要であるのに対し、１つの温度センサー２５で２種類の気流温度を感知することができ、低コストで回路の簡略化を図ることができることとなる。
【００５２】
また、センサー手段２４を、Ｃ接点の温度センサー２５で形成したので、当接する気流の温度に応じて接点を切り換えることができ、各ダンパーの開閉のどちらの場合においても、ダンパーモータ２３への通電ができるため、ダンパーモータ２３の駆動力を利用してダンパーの開閉ができ、ばね等を利用する場合と比較して風圧に負けずに確実に開閉ができるとともに、ダンパーが開閉するときの音の発生を防止でき、また、１つの温度センサー２５でダンパーの開閉ができることによりコストの低減および電気回路の簡略化を図ることができることとなる。
【００５３】
（実施の形態２）
図５に示すように、センサー手段２４Ａの周囲を断熱材３０で包囲して構成する。
【００５４】
上記構成においては、気流の温度を検出するセンサー手段２４Ａは周囲を包囲する断熱材３０の種類や厚みによって反応時間が異なるのを利用して、センサー手段２４Ａの感度を自在に調節することができ、ダンパーの開閉時間を自在に調節できるとともに、１つのセンサー手段２４Ａで対応できるので、タイマー等が不要となりコストの低減および電気回路の簡略化を図ることができることとなる。
【００５５】
（実施の形態３）
図６に示すように、温度センサー２５Ｂに給気流が直接接触しないように囲い３１を設け構成する。
【００５６】
上記構成においては、温度センサー２５Ｂに気流が直接接触する場合には所定温度の検出までの時間は短くなり、気流が直接接触しない場合には長くなることから、囲い３１の形状を変えて温度センサー２５Ｂに対応する気流の接触する度合いを変えることにより、排気ダンパー１６Ａと給気ダンパー１７Ａおよび循環ダンパー１９Ａの開閉時間を自在に調節することができるとともにタイマー等が不要となり、コストの低減および電気回路の簡略化を図ることができる。
【００５７】
（実施の形態４）
図７に示すように、循環開口１８Ａを通る循環流が温度センサー２５Ｃに直接接触しないように囲い３１Ａを設け構成する。
【００５８】
上記構成においては、温度センサー２５Ｃの反応時間は循環気流が直接あたる場合には短くなり、循環気流が直接あたらない場合には長くなることから、囲い３１Ａの形状を変えて温度センサー２５Ｃに対応する気流の接触する度合いを変えることにより、排気ダンパー１６Ｂと給気ダンパー１７Ｂおよび循環ダンパー１９Ｂの開閉時間を自在に調節することができ、また、循環開口１８Ａより流入する空気量を２分するように囲い３１Ａを形成し、温度センサー２５Ｃにあたる空気流を少なくして、温度センサー２５Ｃの検出度合いを可変としても良いもので、タイマー等が不要となりコストの低減および電気回路の簡略化を図ることができることとなる。
【００５９】
（実施の形態５）
図８および図９に示すように、循環ダンパー１９Ｃの一部を温度センサー２５Ｄの囲い３１Ｂの役割をするように形成し構成する。
【００６０】
上記構成においては、循環ダンパー１９Ｃが循環開口１８Ｂを閉鎖した状態では、循環ダンパー１９Ｃの一部に形成した囲い３１Ｂが温度センサー２５Ｄの囲いとなり、温度センサー２５Ｄに直接給気流があたるのをさえぎるため、温度センサー２５Ｄの反応時間が長くなることから、各ダンパーの開閉時間を自在に調節することができるとともに、タイマー等が不要となりコストの低減および電気回路の簡略化を図ることができる。
【００６１】
また、循環ダンパー１９Ｃが循環開口１８Ｂを開放した状態では、循環ダンパー１９Ｃに形成した囲い３１Ｂは循環流路２９外に位置することとなる。
【００６２】
（実施の形態６）
図１０および図１１に示すように、循環ダンパー１９Ｄに温度センサー２５Ｅを設け構成する。
【００６３】
上記構成においては、温度センサー２５Ｅを、気流が直接あたる場所、また直接あたらない場所に調節して設けることができ、温度センサー２５Ｅの反応時間を調節できることから、各ダンパーの開閉時間を自在に調節することができるとともに、タイマー等が不要となり、コストの低減および電気回路の簡略化を図ることができる。
【００６４】
（実施の形態７）
図１２に示すように、温度センサー２５Ｆに防水対策を施して構成する。
【００６５】
上記構成においては、温度センサー２５Ｆ内に水が入ることが防止されることとなり、流路切換ユニット２２Ａ内で結露水が発生しても温度センサー２５Ｆ内に水の侵入するのが防止でき安全性が高められることとなる。
【産業上の利用可能性】
【００６６】
室内の空気を循環する循環流路内に塵埃を除去する空気清浄手段を設け、室外の新鮮な空気を給気する給気流路に循環流路が連通する循環開口を設け、空気中の汚染度を検出する１つの汚染度検出センサーを給気流路の循環開口の近傍に設け、外気の給気と室内空気の清浄化を交互におこなえるようにできる空気清浄装置の用途にも適用できる。
【図面の簡単な説明】
【００６７】
【図１】本発明の実施の形態１の熱交換形換気装置の通常の状態を示す概略断面図
【図２】同熱交換形換気装置の結氷の融解時の状態を示す概略断面図
【図３】同熱交換形換気装置のダンパーを除いた流路切換ユニットの斜視図
【図４】同熱交換形換気装置の温度センサーとダンパーモータの関係を示す回路図
【図５】本発明の実施の形態２の熱交換形換気装置のセンサー手段の斜視図
【図６】本発明の実施の形態３の熱交換形換気装置の通常の状態を示す概略断面図
【図７】本発明の実施の形態４の熱交換形換気装置の結氷の融解時の状態を示す概略断面図
【図８】本発明の実施の形態５の熱交換形換気装置の通常の状態を示す概略断面図
【図９】同熱交換形換気装置の結氷の融解時の状態を示す概略断面図
【図１０】本発明の実施の形態６の熱交換形換気装置の通常の状態を示す概略断面図
【図１１】同熱交換形換気装置の結氷の融解時の状態を示す概略断面図
【図１２】本発明の実施の形態７の熱交換形換気装置の通常の状態を示す概略断面図
【図１３】従来の換気装置の凍結防止装置のダンパー部分の構成図
【符号の説明】
【００６８】
５      熱交換器
６      排気用送風機
７      給気用送風機
８      換気ユニット
９      排気流路
１０    給気流路
１１    仕切板
１２    排気開口
１３    排気ダンパー受
１４    給気開口
１５    給気ダンパー受
１６    排気ダンパー
１７    給気ダンパー
１８    循環開口
１８Ａ  循環開口
１９    循環ダンパー
１９Ｃ  循環ダンパー
１９Ｄ  循環ダンパー
２２    流路切換ユニット
２３    ダンパーモータ
２４    センサー手段
２４Ａ  センサー手段
２５    温度センサー
２５Ｂ  温度センサー
２５Ｃ  温度センサー
２５Ｄ  温度センサー
２５Ｅ  温度センサー
２５Ｆ  温度センサー
３０    断熱材
３１    囲い
３１Ａ  囲い
３１Ｂ  囲い
【図１】
2007170713.tif 000003
【図２】
2007170713.tif 000004
【図３】
2007170713.tif 000005
【図４】
2007170713.tif 000006
【図５】
2007170713.tif 000007
【図６】
2007170713.tif 000008
【図７】
2007170713.tif 000009
【図８】
2007170713.tif 000010
【図９】
2007170713.tif 000011
【図１０】
2007170713.tif 000012
【図１１】
2007170713.tif 000013
【図１２】
2007170713.tif 000014
【図１３】
2007170713.tif 000015